【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
音声データから音声を再生する音声再生手段と、
テキストデータを音声合成して出力する音声合成手段と、
ユーザの指示を検出する指示検出手段と、
前記音声再生手段および前記音声合成手段の動作状態を検出する検出手段と、
前記動作状態に応じて、前記ユーザの指示を前記音声再生手段または前記音声合成手段のいずれかに与える指示供与手段と、
前記ユーザの指示を与えられた前記音声再生手段または前記音声合成手段が、前記ユーザの指示に基づいた処理を実行するように制御する制御手段と、
を有することを特徴とする情報処理装置。
【請求項２】
前記ユーザの指示は、早送り、巻き戻し、停止および一時停止のいずれかであることを特徴とする請求項１に記載の情報処理装置。
【請求項３】
前記指示供与手段は、前記音声合成手段が動作中の場合には、前記指示を前記音声合成手段に与えることを特徴とする請求項１または請求項２に記載の情報処理装置。
【請求項４】
前記指示供与手段は、前記音声合成手段が動作しておらず、かつ前記音声再生手段が動作中の場合に、前記指示を前記音声再生手段に与えることを特徴とする請求項１または請求項２に記載の情報処理装置。
【請求項５】
前記ユーザの指示が早送りであって、前記指示供与手段が前記指示を前記音声合成手段に与えた場合に、前記制御手段は、読み上げ対象のテキストデータの各文より所定部分のデータを抽出して要約データを作成し、前記要約データを音声合成して出力するように前記音声合成手段を制御することを特徴とする請求項２に記載の情報処理装置。
【請求項６】
前記ユーザの指示が早送りであって、前記指示供与手段が前記指示を前記音声合成手段に与えた場合に、前記制御手段は、読み上げ対象のテキストデータの各文より先頭文節を抽出して抽出された文節を順次音声合成して出力するように前記音声合成手段を制御することを特徴とする請求項２に記載の情報処理装置。
【請求項７】
前記ユーザの指示が巻き戻しであって、前記指示供与手段が前記指示を前記音声合成手段に与えた場合に、前記制御手段は、読み上げ対象のテキストデータの各文より先頭文節を抽出して抽出された文節を前記テキストデータの文の並びとは逆順に音声合成して出力するように前記音声合成手段を制御することを特徴とする請求項２に記載の情報処理装置。
【請求項８】
前記指示供与手段は、前記ユーザの指示が再生であった場合に、前記テキストデータ中で読み上げを開始する位置を示す読み上げポインタが設定されているか否かを検出し、前記読み上げポインタを検出した場合に、前記読み上げポインタの位置から前記テキストデータの音声合成を開始するように前記音声合成手段に前記ユーザの指示を供与することを特徴とする請求項１乃至請求項６のいずれか１項に記載の情報処理装置。
【請求項９】
前記指示供与手段は、前記ユーザの指示が再生であった場合に、前記録音データ中で再生を開始する位置を示す再生ポインタが設定されているか否かを検出し、前記再生ポインタを検出した場合に、前記再生ポインタの位置から前記録音データの再生を開始するように前記音声再生手段に前記ユーザの指示を供与することを特徴とする請求項１乃至請求項６のいずれか１項に記載の情報処理装置。
【請求項１０】
前記制御手段は、前記テキストデータのうちで、前記音声合成手段によって音声合成されずに省略されたデータに対応して、所定の音を出力するように前記音声合成手段を制御することを特徴とする請求項１乃至請求項８のいずれか１項に記載の情報処理装置。
【請求項１１】
テキストデータを音声合成して出力する音声合成手段と、
ユーザの指示を入力するダイアルと、
前記ダイアルの角度を検出する角度検出手段と、
前記検出されたダイアルの角度に応じて、前記テキストデータを早送りで音声合成して出力する、あるいは前記テキストデータを巻き戻しで音声合成して出力するように前記音声合成手段を制御する制御手段と、
を有することを特徴とする情報処理装置。
【請求項１２】
前記制御手段は、前記ダイアルの角度が正である場合に、前記テキストデータを早送りで音声合成して出力することを特徴とする請求項１１に記載の情報処理装置。
【請求項１３】
前記制御手段は、前記早送りで音声合成する文節をスキップする数を変更する変更手段を更に有することを特徴とする請求項１２に記載の情報処理装置。
【請求項１４】
前記制御手段は、前記文節をスキップした個所に対応して所定の音を出力するように前記音声合成手段を制御することを特徴とする請求項１３に記載の情報処理装置。
【請求項１５】
前記制御手段は、前記ダイアルの角度が負である場合に、前記テキストデータを巻き戻しで音声合成して出力することを特徴とする請求項１１に記載の情報処理装置。
【請求項１６】
前記制御手段は、前記巻き戻しで音声合成する文節をスキップする数を変更する変更手段を更に有することを特徴とする請求項１５に記載の情報処理装置。
【請求項１７】
前記制御手段は、前記文節をスキップした個所に対応して所定の音を出力するように前記音声合成手段を制御することを特徴とする請求項１６に記載の情報処理装置。
【請求項１８】
音声データから音声を再生する音声再生工程と、
テキストデータを音声合成して出力する音声合成工程と、
ユーザの指示を検出する指示検出工程と、
前記音声再生工程および前記音声合成工程の動作状態を検出する検出工程と、
前記動作状態に応じて、前記ユーザの指示を前記音声再生工程または前記音声合成工程のいずれかに与える指示供与工程と、
前記ユーザの指示を与えられた前記音声再生工程または前記音声合成工程が、前記ユーザの指示に基づいた処理を実行するように制御する制御工程と、
を有することを特徴とする情報処理方法。
【請求項１９】
テキストデータを音声合成して出力する音声合成工程と、
ユーザの指示を入力するダイアルと、
前記ダイアルの角度を検出する角度検出工程と、
前記検出されたダイアルの角度に応じて、前記テキストデータを早送りで音声合成して出力する、あるいは前記テキストデータを巻き戻しで音声合成して出力するように前記音声合成工程を制御する制御工程と、
を有することを特徴とする情報処理方法。
【請求項２０】
情報処理装置を制御する制御プログラムであって、
前記制御プログラムは、
音声データから音声を再生する音声再生工程のコードと、
テキストデータを音声合成して出力する音声合成工程のコードと、
ユーザの指示を検出する指示検出工程のコードと、
前記音声再生手段および前記音声合成手段の動作状態を検出する検出手工程のコードと、
前記動作状態に応じて、前記ユーザの指示を前記音声再生工程または前記音声合成工程のいずれかに与える指示供与工程のコードと、
前記ユーザの指示を与えられた前記音声再生工程または前記音声合成工程が、前記ユーザの指示に基づいた処理を実行するように制御する制御工程のコードと、
を有することを特徴とする制御プログラム。
【請求項２１】
情報処理装置を制御する制御プログラムを格納したコンピュータ可読記憶媒体であって、
前記制御プログラムは、
音声データから音声を再生する音声再生工程のコードと、
テキストデータを音声合成して出力する音声合成工程のコードと、
ユーザの指示を検出する指示検出工程のコードと、
前記音声再生手段および前記音声合成手段の動作状態を検出する検出工程のコードと、
前記動作状態に応じて、前記ユーザの指示を前記音声再生工程または前記音声合成工程のいずれかに与える指示供与工程のコードと、
前記ユーザの指示を与えられた前記音声再生工程または前記音声合成工程が、前記ユーザの指示に基づいた処理を実行するように制御する制御工程のコードと、
を有することを特徴とするコンピュータ可読記憶媒体。
【請求項２２】
ユーザの指示を入力するダイアルを有する情報処理装置を制御する制御プログラムであって、
前記制御プログラムは、
テキストデータを音声合成して出力する音声合成工程のコードと、
前記ダイアルの角度を検出する角度検出工程のコードと、
前記検出されたダイアルの角度に応じて、前記テキストデータを早送りで音声合成して出力する、あるいは前記テキストデータを巻き戻しで音声合成して出力するように前記音声合成手段を制御する制御工程のコードと、
を有することを特徴とする制御プログラム。
【請求項２３】
ユーザの指示を入力するダイアルを有する情報処理装置を制御する制御プログラムを格納したコンピュータ可読記憶媒体であって、
前記制御プログラムは、
テキストデータを音声合成して出力する音声合成工程のコードと、
前記ダイアルの角度を検出する角度検出工程のコードと、
前記検出されたダイアルの角度に応じて、前記テキストデータを早送りで音声合成して出力する、あるいは前記テキストデータを巻き戻しで音声合成して出力するように前記音声合成手段を制御する制御工程のコードと、
を有することを特徴とするコンピュータ可読記憶媒体。
【請求項２４】
テキストデータを音声合成して出力する音声合成手段と、
ユーザの指示を検出する指示検出手段と、
前記音声合成手段の動作状態を検出する検出手段と、
前記動作状態に応じて、前記ユーザの指示を前記音声合成手段に与える指示供与手段と、
前記ユーザの指示を与えられた前記音声合成手段が、前記ユーザの指示に基づいた処理を実行するように制御する制御手段と、
を有することを特徴とする情報処理装置。
【請求項２５】
前記ユーザの指示が早送りであって、前記指示供与手段が前記指示を前記音声合成手段に与えた場合に、前記制御手段は、読み上げ対象のテキストデータの各文より所定部分のデータを抽出して要約データを作成し、前記要約データを音声合成して出力するように前記音声合成手段を制御することを特徴とする請求項２４に記載の情報処理装置。
【請求項２６】
前記ユーザの指示が早送りであって、前記指示供与手段が前記指示を前記音声合成手段に与えた場合に、前記制御手段は、読み上げ対象のテキストデータの各文より先頭文節を抽出して抽出された文節を順次音声合成して出力するように前記音声合成手段を制御することを特徴とする請求項２４に記載の情報処理装置。
【請求項２７】
前記ユーザの指示が巻き戻しであって、前記指示供与手段が前記指示を前記音声合成手段に与えた場合に、前記制御手段は、読み上げ対象のテキストデータの各文より先頭文節を抽出して抽出された文節を前記テキストデータの文の並びとは逆順に音声合成して出力するように前記音声合成手段を制御することを特徴とする請求項２４に記載の情報処理装置。
【請求項２８】
前記制御手段は、前記テキストデータのうちで、前記音声合成手段によって音声合成されずに省略されたデータに対応して、所定の音を出力するように前記音声合成手段を制御することを特徴とする請求項２４乃至請求項２７のいずれか１項に記載の情報処理装置。
【手続補正２】
【補正対象書類名】明細書
【補正対象項目名】００２７
【補正方法】変更
【補正の内容】
【００２７】
上記目的を達成するための本発明に係る一実施形態の情報処理方法は、以下の構成を有する。すなわち、音声データから音声を再生する音声再生工程と、テキストデータを音声合成して出力する音声合成工程と、ユーザの指示を検出する指示検出工程と、前記音声再生工程および前記音声合成工程の動作状態を検出する検出工程と、前記動作状態に応じて、前記ユーザの指示を前記音声再生工程または前記音声合成工程のいずれかに与える指示供与工程と、前記ユーザの指示を与えられた前記音声再生工程または前記音声合成工程が、前記ユーザの指示に基づいた処理を実行するように制御する制御工程と、を有することを特徴とする。


【手続補正３】
【補正対象書類名】明細書
【補正対象項目名】００２９
【補正方法】変更
【補正の内容】
【００２９】
上記目的を達成するための本発明に係る一実施形態の制御プログラムは、以下の構成を有する。すなわち、情報処理装置を制御する制御プログラムであって、前記制御プログラムは、音声データから音声を再生する音声再生工程のコードと、テキストデータを音声合成して出力する音声合成工程のコードと、ユーザの指示を検出する指示検出工程のコードと、前記音声再生手段および前記音声合成手段の動作状態を検出する検出工程のコードと、前記動作状態に応じて、前記ユーザの指示を前記音声再生工程または前記音声合成工程のいずれかに与える指示供与工程のコードと、前記ユーザの指示を与えられた前記音声再生工程または前記音声合成工程が、前記ユーザの指示に基づいた処理を実行するように制御する制御工程のコードと、を有することを特徴とする。